(57)【特許請求の範囲】
【請求項１】
車両内の車両シート（１）用の調整ユニット（１’）であって、
前記調整ユニット（１’）は前記車両シート（１）のバックレスト（３）の傾斜調整機構を有し、
前記傾斜調整機構は、前記車両（１）の進行方向（１００）に直交する短手方向（１０１）まわりに回転可能に取り付けられた第１揺動子（５０）を含み、
前記調整ユニット（１’）はさらに、前記車両シート（１）のシート部品（２）の長さ及び高さの調整機構を有し、
前記長さ及び高さの調整機構は、前記短手方向（１０１）まわりに回転可能に取り付けられた第２揺動子（３１）を含む調整ユニット（１’）。
【請求項２】
前記第１揺動子（５０）の第１端が回転ヒンジの態様で前記車両シート（１）の前記バックレスト（３）に作用する一方、前記第１揺動子（５０）の第２端が車体備え付けの保持クランプ（５１）に締結される請求項１に記載の調整ユニット（１’）。
【請求項３】
前記調整ユニット（１’）は、前記バックレスト（３）の傾斜が前記第１揺動子（５０）の配向角度の変化によって調整される態様に設計される請求項１又は２に記載の調整ユニット（１’）。
【請求項４】
前記第１揺動子（５０）の前記第１端が調整継手（５２）を介して回転ヒンジの態様で前記バックレスト（３）に接続され、
前記調整継手（５２）はモーター駆動の駆動器を含む請求項２記載の調整ユニット（１’）。
【請求項５】
前記第１揺動子（５０）の前記第２端は回転ヒンジの態様で前記保持クランプ（５１）のスロット付きガイド（５３）に接続され、及び、前記スロット付きガイド（５３）の案内スロットに沿って長手方向に変位可能となるように取り付けられ、
前記案内スロットは一側が開放された長孔を含む請求項２に記載の調整ユニット（１’）。
【請求項６】
前記バックレスト（３）はバックレスト主要部品（３３）及びバックレスト上側部品（３４）を含み、
前記バックレスト主要部品（３３）と前記バックレスト上側部品（３４）とは、前記バックレストの曲率を調整するべく共通第２枢動軸（３５）を介した回転継手の態様で互いに接続される請求項１から５のいずれか一項に記載の調整ユニット（１’）。
【請求項７】
前記バックレスト主要部品（３３）と前記バックレスト上側部品（３４）とは、追加調整継手（３６）により、前記追加調整継手（３６）の調整が前記バックレスト主要部品（３３）と前記バックレスト上側部品（３４）とが前記共通第２枢動軸（３５）まわりになす角度を変化させる態様で、前記共通第２枢動軸（３５）の領域において互いに結合される請求項６に記載の調整ユニット（１’）。
【請求項８】
前記追加調整継手（３６）はモーター駆動の調整器を含む請求項７に記載の調整ユニット（１’）。
【請求項９】
請求項１から８のいずれか一項に記載の調整ユニット（１’）を有する車両シート（１）。
【請求項１０】
請求項９に記載の車両シート（１）を取り付ける方法であって、
第１方法ステップにおいてバックレスト（３）が前方にシフトされた構成で車両シート（１）が与えられ、
第２方法ステップにおいて車両シート（１）が基礎構造物上に少なくとも一時的に配列及び／又は締結され、
第３方法ステップにおいて前記バックレスト（３）が、前記第１揺動子（５０）の、車体備え付けの保持クランプ（５１）に締結される第２端に配置されたボルト（５５）が、一側が開放されたスロット付きガイド（５３）の中に係合する態様で枢動の動き（８）によって後方に枢動される方法。
【発明の詳細な説明】
【技術分野】
【０００１】
本発明は、車両シート用のシート傾斜調整機構に関する。
【背景技術】
【０００２】
車両乗員に対して最大限に可能な快適性を与えるべく、車両シートのバックレストを、その配向が調整可能に設計することが、先行技術により一般に知られている。慣例的に、かかるシート傾斜調整機構は、車両シートのバックレスト及びシート部品間に配列されて当該シート部品に対する当該バックレストの調整を許容する調整継手を含む。
【０００３】
しかしながら、一つの欠点は、一定の取り付け状況においては利用可能な構造空間の欠如ゆえに、シート部品及びバックレスト間に調整継手を配列することができないことにある。
【先行技術文献】
【特許文献】
【０００４】
【特許文献１】独国特許出願公開第１０２００５０２３９３６（Ａ１）号明細書
【特許文献２】独国特許第１０２００５０２２６４５（Ｂ３）号明細書
【特許文献３】特開２００７−３１４０７９号公報
【発明の概要】
【発明が解決しようとする課題】
【０００５】
本発明の課題は、シート部品及びバックレスト間に配列される調整継手が不要なシート傾斜調整機構を与えることにある。
【課題を解決するための手段】
【０００６】
本課題は、車両シート用のシート傾斜調整機構であって、車両の進行方向に直交する短手方向まわりに回転可能に取り付けられた第１揺動子を含むシート傾斜調整機構によって解決される。第１揺動子の第１端が好ましくは、回転ヒンジの態様で車両シートのバックレストに作用する一方、第１揺動子の第２端が好ましくは、車体備え付けの保持クランプに締結される。第１揺動子の配向角度の変化によって車両シートのバックレストの傾斜が調整される。第１揺動子の第１端は、好ましくは調整継手を介して、回転ヒンジの態様でバックレストに接続される。調整継手は、波打ち機構又は掛かり爪式調整器を含むことが好ましい。調整継手は特に、モーター駆動の駆動器によって駆動される。第１揺動子の第２端は特に、回転ヒンジの態様で保持クランプのスロット付きガイドに接続され、及び特に、当該スロット付きガイドの案内スロットに沿って長手方向に変位可能となるように取り付けられる。案内スロットは特に、車両シートの迅速な取り付けを許容するべく一側が開放された長孔を含む。
【０００７】
本発明のさらなる主題は、本発明に係るシート長さ調整機構を有する車両シートである。
【０００８】
本発明のさらなる主題は、車両シートを取り付ける方法である。第１ステップにおいてまず、バックレストが前方にシフトされた構成で車両シートが与えられ、引き続いての第２ステップで車両シートは基礎構造物上に少なくとも一時的に配列又は締結される。引き続いての第３ステップにおいて、バックレストは、枢動の動きの範囲内において後方に枢動され、ひいては第１揺動子の第２端に配置されたボルトが、一側が開放されたスロット付きガイドの中に係合する。
【０００９】
本発明の好ましい実施形態によれば、車両シートのバックレストは、バックレスト主要部品及びバックレスト上側部品を含む。バックレスト主要部品とバックレスト上側部品とは、共通枢動軸を介した回転継手の態様で互いに接続される。バックレスト主要部品とバックレスト上側部品とが、特に追加調整ユニットにより、追加調整ユニットの調整がバックレスト主要部品とバックレスト上側部品とが第２枢動軸まわりになす角度を変化させる態様で、第２枢動軸の領域において互いに結合される。追加調整ユニットは特に、モーター駆動波打ち機構又は掛かり爪式調整器を含む。したがって追加調整ユニットは特に、バックレストの曲率調整の一部をなす。
【００１０】
本発明の好ましい実施形態によれば、ヘッドレストがバックレスト上側部品の上側端に配列される。ここで、ヘッドレストの２つの保持ロッドが、バックレストの案内軸受筒の中に締結される。ヘッドレストは特に、垂直方向に調整可能な態様で案内軸受筒の中に取り付けられる。
【００１１】
図面により及び当該図面を参照しての好ましい実施形態の説明により、本発明のさらなる詳細、特徴及び利点が明らかとなる。ここで図面は、本発明の典型的な実施形態の単なる例示であって、本発明の本質的な概念を制限するものではない。
【図面の簡単な説明】
【００１２】
様々な図面において、同じ部品は、常に同じ参照番号が付されているため、一般には各例において一回参照され又は一回言及される。
【００１３】
【図１Ａ】自動車用の車両シート１の模式的斜視図を例示する。
【図１Ｂ】自動車用の車両シート１の模式的斜視図を例示する。
【図２Ａ】本発明に係る車両シート１の側面図を例示する。
【図２Ｂ】本発明に係る車両シート１の側面図を例示する。
【図２Ｃ】本発明に係る車両シート１の側面図を例示する。
【図２Ｄ】本発明に係る車両シート１の側面図を例示する。
【図２Ｅ】本発明に係る車両シート１の側面図を例示する。
【図３】車両基体７に締結された保持クランプ５１の模式的な詳細図を例示する。
【図４】車両シート１を車両に取り付ける方法を例示する。
【発明を実施するための形態】
【００１４】
図１Ａ及び１Ｂは、自動車用の車両シート１の模式的斜視図を例示する。特に、ここでは自動車の車両後部の車両シート１が対象となる。車両シート１はシート部品２及びバックレスト３を含む。
【００１５】
車両シート１はさらに、バックレスト傾斜調整機構を含む。バックレスト傾斜調整機構は第１揺動子５０を含む。第１揺動子５０の第１端が回転ヒンジの態様でバックレスト３に接続され、かつ、第１揺動子５０の第２端が回転ヒンジの態様で車体備え付けの保持クランプ５１に接続される。第１揺動子５０の第１端は、調整ユニット５２を介して、特に波打ち機構又は掛かり爪式調整器を介して、回転軸５４まわりの回転ヒンジの態様でバックレスト３に接続される。ここで調整ユニット５２は、バックレスト３と第１揺動子５０とがなす角度の変化を許容する。その結果、バックレスト３の傾斜が変化する。第１揺動子５０の第２端は、保持クランプ５１のスロット付きガイド５３に締結されるのが好ましい。調整ユニット５２は、駆動器を有する結果、バックレスト傾斜のモーター支援調整が可能とされることが好ましい。
【００１６】
車両シート１のバックレスト３は、バックレスト主要部品３３及びバックレスト上側部品３４を含むのが好ましい。バックレスト主要部品３３とバックレスト上側部品３４とは、共通第２枢動軸３５を介した回転ヒンジの態様で互いに接続される。第２枢動軸３５は短手方向１０１と平行に延びる。バックレスト主要部品３３とバックレスト上側部品３４とは、特に追加調整ユニット３６により、追加調整ユニット３６の調整がバックレスト主要部品３３とバックレスト上側部品３４とが第２枢動軸３５まわりになす角度を変化させる態様で、第２枢動軸３５の領域において互いに結合される。追加調整ユニット３６は特に、モーター駆動波打ち機構又はモーター駆動掛かり爪式調整器を含む。追加調整ユニット３６は特に、バックレストの曲率調整の一部をなす。ヘッドレスト４が、車両シート１の、特にバックレスト上側部品３４の上側端に接続される。この目的のため、ヘッドレスト４の２つの保持ロッド５が、バックレスト３の案内軸受筒６の中に締結されるのが好ましい。ヘッドレスト４は特に、案内軸受筒６の中に高さ調整可能な態様で設けられるので、案内軸受筒６は特に、ヘッドレスト高さ調整器の一部をなす。
【００１７】
シート部品２は、車両乗員のためのシート表面を画定し、かつ、前部品２０及び主要部品２１を含む。主要部品２１は、回転ヒンジの態様で第４揺動子３１に取り付けられる。前部品２０の下側側部がスロット付きガイド２３を有する。スロット付きガイド２３の中に第３揺動子２４の第１端が、進行方向１００に直交する短手方向１０１に沿って延びる短手軸まわりの回転ヒンジの態様で取り付けられる。その第１端は、スロット付きガイド２３に進行方向１００において長手方向に変位可能に取り付けられる。第３揺動子２４の第２端は、車両フロアに締結された保持器２５に回転ヒンジの態様で接続される。さらに、第３揺動子２４には、シャフト２６の第１端が回転可能に接続される。
【００１８】
車両シート１の主要部品２１は、車両シート１の車体備え付け基礎構造物４０に第４揺動子３１を介して締結される。第４揺動子３１の第１端が主要部品２１に回転可能に接続される一方、第４揺動子３１の第２端は基礎構造物４０に回転可能に締結される。第４揺動子３１は好ましくは、例えばシリンダ・ピストンガイド又はシャフト駆動器を介して第４揺動子３１の長さを調整する長さ調整ユニットを含む。したがって、第４揺動子３１の長さの変化が、シート部品２の進行方向１００の動きをもたらすので、第４揺動子３１は、車両シート１用のシート長さ調整機構の一部をなす。さらに、基礎構造物４０に対する第４揺動子３１の角度は好ましくは駆動器３７を介して可変なので、第４揺動子３１の角度変化を介してシート部品２の高さを変えることができる。したがって、第４揺動子３１はまた、車両シート１用の高さ調整機構の一部をなすのが好ましい。
【００１９】
基礎構造物４０に対する第３揺動子２４の位置は、追加駆動器３２を介して変えることができる。この態様によって前部品２０の傾斜を変えることができる。さらには、シート部品２のシート表面の傾斜も変化する。したがって、駆動器３２及びシャフト２６は、車両シート１用のシート表面傾斜調整機構の一部をなす。
【００２０】
図２Ａから２Ｅは、本発明に係る車両シート１の側面図を例示する。車両シート１は異なる位置に配列されている。図２Ａは車両シート１の開始位置を例示する。図２Ｂでは、バックレスト３が、バックレスト傾斜調整機構によって、開始位置に対して前方に枢動した位置までシフトされる。図２Ｃでは、バックレスト３が、バックレスト傾斜調整機構によって、開始位置に対して後方に枢動した位置までシフトされる。図２Ｄでは、シート部品２が、シート長さ調整機構によって、開始位置に対して前方にシフトした位置までシフトされる。その結果、同時に、開始位置に対するバックレスト主要部品３３の傾斜角度も変化している。バックレスト主要部品３３は平坦配向にある。バックレスト上側部品３４は開始位置のままなので、シート部品２を前方にシフトさせることによって、バックレストの曲率又はバックレスト３の外形もまた変化する。図２Ｅでは、バックレスト上側部品３４は、バックレストの曲率が調整されることによる、開始位置に対する後方枢動位置にある。その結果、開始位置から既知のバックレストの曲率又はバックレスト３の外形が回復される。さらに、バックレスト上側部品３４の角度位置の変化により、ヘッドレスト４の配向もそれに対応して変化する。
【００２１】
図３は、車両基体７に締結された保持クランプ５１の模式的な詳細図を例示する。この図では、一側が開放されかつ第１揺動子５０の第２端が中で動くスロット付きガイド５３をはっきりと見ることができる。
【００２２】
図４は、車両シート１を車両に取り付ける方法を例示する。第１ステップにおいてまず、バックレスト３が前方にシフトされた構成で車両シート１が与えられ、引き続いての第２ステップで車両シート１は基礎構造物４０上に締結される。引き続いての第３ステップにおいて、バックレスト３は、枢動の動き８の範囲内において後方に枢動され、ひいては第１揺動子５０の第２端に配置されたボルト５５が、一側が開放されたスロット付きガイド５３の中に係合する。引き続いて車両シート１が固定される。
【符号の説明】
【００２３】
１  車両シート
２  シート部品
３  バックレスト
４  ヘッドレスト
５  保持ロッド
６  案内軸受筒
７  車両基体
８  枢動の動き
２０  前部品
２１  主要部品
２３  スロット付きガイド
２４  第３揺動子
２５  保持器
２６  シャフト
３１  第４揺動子
３２  駆動器
３３  バックレスト主要部品
３４  バックレスト上側部品
３５  第２枢動軸
３６  追加調整ユニット
４０  基礎構造物
５０  第１揺動子
５１  保持クランプ
５２  調整ユニット
５３  追加スロット付きガイド
５４  回転軸
５５  ボルト
１００  進行方向
１０１  短手方向
【図１Ａ】
0005883988.tif 000002
【図１Ｂ】
0005883988.tif 000003
【図２Ａ】
0005883988.tif 000004
【図２Ｂ】
0005883988.tif 000005
【図２Ｃ】
0005883988.tif 000006
【図２Ｄ】
0005883988.tif 000007
【図２Ｅ】
0005883988.tif 000008
【図３】
0005883988.tif 000009
【図４】
0005883988.tif 000010